(57)【要約】      （修正有）【課題】Ｅ型止め輪などの止め輪を軸等に形成された溝に外れることなく、かつ作業性よく嵌着できるＥ型止め輪挿入工具を提供する。【解決手段】止め輪ホルダー本体２とスライドプレート３と保持プレート４とからなるＥ型止め輪挿入工具１であって、止め輪ホルダー本体２は、把持部６とスリットと止め輪収納部７とからなり、スリットは、止め輪ホルダー本体２の把持部６と止め輪収納部７との間に溝状に形成してあり、止め輪収納部７の先端部には止め輪を収納する略半円状段付溝９が形成され、スライドプレート３は一端に略半円状切り欠きが形成され、長尺方向に平行に凹部が形成され、止め輪ホルダー本体２の略半円状段付溝９側とスライドプレート３の凹部形成側とを対向するように配置し、このスライドプレート３と保持プレート４との間に止め輪ホルダー本体２を挟んでスライドプレート３をスライド自在に配した。【選択図】図１
0003147440.tif 000002
【実用新案登録請求の範囲】
【請求項１】
止め輪ホルダー本体２とスライドプレート３と保持プレート４とからなるＥ型止め輪挿入工具１おいて、
止め輪ホルダー本体２は、把持部６とスリット８と止め輪収納部７とからなり、
スリット８は、止め輪ホルダー本体２の把持部６と止め輪収納部７との間に溝状に形成してあり、止め輪収納部７の先端部には止め輪を収納  する略半円状段付溝９が形成され、
スライドプレート３は略矩形形状であり、一端に略半円状切り欠きが形成され、長尺方向に平行に凹部が形成され、
前記止め輪ホルダー本体２の略半円状段付溝９側とスライドプレート３の凹部形成側とを対向するように配置し、
このスライドプレート３と矩形状の保持プレート４との間に前記止め輪ホルダー本体２のスリット８部を挟んで、このスライドプレート３と保持プレート４とを締結部材で締結し、
スライドプレート３をスライド自在に配したことにより、
Ｅ型止め輪１０を軸１３に設けられた溝部へ装着するときに外れるのを防止したことを特徴とするＥ型止め輪挿入工具。
【請求項２】
スライドプレート３は略矩形形状であり、一端に略半円状切り欠きが形成され、
保持プレート４にスライド可能に凹部が形成されていることを特徴とする請求項１記載のＥ型止め輪挿入工具。
【請求項３】
スライドプレート３の先端に、Ｅ型止め輪１０を収納する略半円状段付溝が形成されていることを特徴とする、
請求項１或いは請求項２記載のＥ型止め輪挿入工具。
【請求項４】
スライドプレート３と保持プレート４とが樹脂成形品からなることを特徴とする請求項１或いは請求項２記載のＥ型止め輪挿入工具。
【請求項５】
スライドプレート３と保持プレート４とをスナップフィットにより、止め輪ホルダー本体２にスライド自在に保持したことを特徴とする
請求項４記載のＥ型止め輪挿入工具。
【考案の詳細な説明】
【技術分野】
【０００１】
本考案は、Ｅ型止め輪などの止め輪を軸等に形成された溝に外れることなく、かつ、作業性がよく、嵌着できる止め輪挿入工具に関するものである。
【背景技術】
【０００２】
下記特許文献１(特開平８−２４７１２４号)はＥ型止め輪などの止め輪を軸の溝に挿入するための止め輪ホルダーに関する発明である。
このＥ型止め輪ホルダの構造は、把手部と先端部とスリットとからなっており、この先端部には半円状の溝が形成されている。
また、この先端部には、Ｅ型止め輪が脱落するのを防止するため脱落防止用押圧片がピンで固定されている。
【０００３】
そして、使用時は、専用スタンドに整列したＥ型止め輪の一端に止め輪ホルダの先端部を押し当てて、先端部にＥ型止め輪を挟み込み、この挟み込んだＥ型止め輪を軸の環状凹溝に嵌着していた。
【特許文献１】特開平８−２４７１２４号公報
【考案の開示】
【考案が解決しようとする課題】
【０００４】
特許文献１の専用工具では、先端を整列しているＥ型止め輪に密着させて押し当てるときに、脱落防止用押圧片１４が隣のＥ型止め輪に干渉するという問題があり、この専用工具ではＥ型止め輪を確実に保持できず、作業効率が悪いという問題があった。
また、専用工具にＥ型止め輪を確実に保持できないため、Ｅ型止め輪を溝に挿入するときに、動揺したり、或いは、脱落や飛散するという問題があった。
【課題を解決するための手段】
【０００５】
本考案の請求項１において、Ｅ型止め輪挿入工具は、止め輪ホルダー本体２とスライドプレート３と保持プレート４とからなるＥ型止め輪挿入工具１おいて、止め輪ホルダー本体２は、把持部６とスリット８と止め輪収納部７とからなり、スリット８は、止め輪ホルダー本体２の把持部６と止め輪収納部７との間に溝状に形成してあり、止め輪収納部７の先端部には止め輪を収納する略半円状段付溝９が形成され、スライドプレート３は略矩形形状であり、一端に略半円状切り欠きが形成され、長尺方向に平行に凹部が形成され、前記止め輪ホルダー本体２の略半円状段付溝９側とスライドプレート３の凹部形成側とを対向するように配置し、このスライドプレート３と矩形状の保持プレート４との間に前記止め輪ホルダー本体２のスリット８部を挟んで、このスライドプレート３と保持プレート４とを締結部材で締結し、スライドプレート３をスライド自在に配したことにより、Ｅ型止め輪１０を軸１３に設けられた溝部へ装着するときに外れるのを防止したことを特徴としている。
【０００６】
また、本考案の請求項２において、Ｅ型止め輪挿入工具のスライドプレート３は略矩形形状であり、一端に略半円状切り欠きが形成され、保持プレート４にスライド可能に凹部が形成されていることを特徴としている。
【０００７】
また、本考案の請求項３において、Ｅ型止め輪挿入工具のスライドプレート３の先端に、Ｅ型止め輪１０を収納する略半円状段付溝が形成されていることを特徴としている。
【０００８】
本考案の請求項４において、Ｅ型止め輪挿入工具のスライドプレート３と保持プレート４とは樹脂成形品からなることを特徴としている。
【０００９】
本考案の請求項５において、スライドプレート３と保持プレート４とをスナップフィットにより、止め輪ホルダー本体２にスライド自在に保持したことを特徴としている。
【考案の効果】
【００１０】
軸の溝にＥ型止め輪を挿入するときに、Ｅ型止め輪両側面を止め輪ホルダー本体とスライドプレートとで保持しているので、動揺、或いは、脱落、飛散する恐れが全くなく、作業効率が大変よく軸の溝に挿入することができるという大きな効果がある。
そして、スライドプレート３と保持プレート４とを樹脂成形品で製作することにより、安価で軽量なＥ型止め輪挿入工具になる。
また、スナップフィットを使用することによりスライドプレート３と保持プレート４とをワンタッチで止め輪ホルダー本体２に保持することができる。
【考案を実施するための最良の形態】
【００１１】
本考案のＥ型止め輪挿入工具は、Ｅ型止め輪を専用スタンドに整列して、その止め輪の端の１個をクランプするときに、
スライドプレートが上にスライドし、Ｅ型止め輪挿入工具を引上げると、スライドプレートが自重で落下し、Ｅ型止め輪の両側面を止め輪ホルダー本体とスライドプレートとで保持することになるので、Ｅ型止め輪を軸の溝に挿入するときに、Ｅ型止め輪が両側面より確実に保持されており、Ｅ型止め輪が脱落することなく、かつ、作業効率よく溝に挿入することが可能になった。
【実施例１】
【００１２】
本考案に係るＥ型止め輪挿入工具１の一実施形態について説明する。
軸にＥ型止め輪などの止め輪を取り付ける目的は、止め輪を軸に形成された溝に嵌着することにより、軸に挿入した各種部品が軸方向に移動したときにこの部品が止め輪に当たり、これ以上移動することができないので、抜けるのを防止するために用いられている。
特に、モータの回転子などの回転体は、回転時の振動により軸方向に移動し易いので、回転子の軸方向への移動を防止する目的、或いは、軸に挿入した部品の抜け止めとして、Ｅ型止め輪などの止め輪を嵌着することが多く見受けられる。
【００１３】
なお、Ｅ型止め輪の使用はモータに限らず、各種部品の位置決めや、各種部品の抜け止めとして数多くの製品に用いられる。
【００１４】
それでは、次に、図を用いて、本考案のＥ型止め輪挿入工具１の構成について説明する。
図１は、本考案の一実施形態に係るＥ型止め輪挿入工具の斜め上面から見た斜見図であり、図２は、本考案の一実施形態に係るＥ型止め輪挿入工具の斜め背面から見た斜見図であり、図３は、Ｅ型止め輪の平面図である。
【００１５】
次に、本考案のＥ型止め輪挿入工具の構成について、図１、図２及び図３を用いて説明する。
Ｅ型止め輪挿入工具は、大きく分けて、止め輪ホルダー本体２とスライドプレート３と保持プレート４とからなっている。
そして、止め輪ホルダー本体２は、作業時に手で把持する把持部６と、把持部６に対し、一方の他端にあり、端部にＥ型止め輪を保持する略半円状段付溝(1)が形成された止め輪収納部７と、把持部６と止め輪収納部７との間にあり、溝状、長丸、或いは矩形状のスリット８とからなっている。
【００１６】
なお、略半円状段付溝とは、Ｅ型止め輪の形状とほぼ同一形状に略半円状の切り欠きを形成し、この略半円状の切り欠きに沿ってＥ型止め輪を保持できる溝を設けた形状を言っている。
【００１７】
Ｅ型止め輪挿入工具のもう一つの部品であるスライドプレート３は、略矩形の形状をしており、このスライドプレート３の一端は略半円状に形成され、そして、長尺に平行に凹部が形成されている。
そして、このスライドプレート３にネジ５などで保持される保持プレート４は矩形状で、スライドプレート３よりもさらに小さな部品である。
【００１８】
次に、Ｅ型止め輪挿入工具１のパーツである止め輪ホルダー本体２とスライドプレート３と保持プレート４との組み立てた構成について図１及び図２を用いて説明する。
Ｅ型止め輪挿入工具の組み立ては、まず、止め輪ホルダー本体２を手元に置き、次に、スライドプレート３の略半円状の切欠部と止め輪ホルダー本体２の略半円状の切欠部とを合せる。
次に、スライドプレート３が自在にスライドするように、保持プレート４をスライドプレート３に接触させてネジ、ピン、リベットなどの締結部材で保持する。
【００１９】
次に、請求項２の説明を行う。
請求項２のスライドプレート３は、略矩形形状であり、一端に略半円状切り欠きが形成されているが、長尺方向に平行に凹部は形成されていない。その代わりに、保持プレート４にスライド可能に凹部が形成されている構成のＥ型止め輪挿入工具である。
【００２０】
そして、請求項３は、スライドプレート３の先端にも、Ｅ型止め輪１０を収納する略半円状段付溝が形成されている。つまり、止め輪ホルダー本体２とスライドプレート３の両方に略半円状段付溝を形成したＥ型止め輪挿入工具１である。
【００２１】
そして、請求項４は、スライドプレート３と保持プレート４とを樹脂成形品で製作したものであり、樹脂成形品で製作することにより、安価で軽量なＥ型止め輪挿入工具にすることができる。
【００２２】
そして、請求項５は、スライドプレート３と保持プレート４とをスナップフィットにより、止め輪ホルダー本体２にスライド自在に保持したものであり、この様な方式で保持することによりワンタッチで保持することができる。
なお、スナップフィットとは、弾性を利用した締結手法であり、比較的弾性率が高い樹脂部品の組立てに使用され、部品に設けた突起の径よりやや小さめの孔を挿入される部材側に設けて、この孔に突起を挿入して２つの部品を係合させ、保持する方法である。
【００２３】
次に、このＥ型止め輪挿入工具の作用、つまり、動作について説明をする。
Ｅ型止め輪用専用スタンドは斜めに傾斜しており、この専用スタンドに一列に収納されたＥ型止め輪が自重により隙間なく整列している。
この専用スタンドにおいて、自重で押された最下部の１枚のＥ型止め輪にＥ型止め輪挿入工具を押圧することにより段付溝にＥ型止め輪が嵌着される。
なお、このＥ型止め輪を止め輪挿入工具に嵌着するときに、この工具のスライドプレート３はスライド自在に取り付けられているので、隣のＥ型止め輪に接触してもこのプレート３は上方にスライドする。
そして、止め輪挿入工具を専用スタンドから離すとスライドプレート３が自重で落下し、Ｅ型止め輪の一側面を覆うことになる。
【００２４】
この様に、止め輪挿入工具に嵌着されたＥ型止め輪を軸に形成された溝に挿入するときは、Ｅ型止め輪の両側が確実に保持されているので、脱落や飛散、動揺などの恐れがなく、安心して挿入することができる。
【産業上の利用可能性】
【００２５】
本考案は、Ｅ型止め輪を積層した積層体から一個だけ取り出してモータなどの軸に装着する作業に使用されるＥ型止め輪挿入工具であり、軸方向に挿入した部品の抜け止めとして幅広く利用することができる。
【図面の簡単な説明】
【００２６】
【図１】本考案の一実施形態に係るＥ型止め輪挿入工具であって、斜め上面から見た斜見図である。
【図２】本考案の一実施形態に係るＥ型止め輪挿入工具であって、斜め背面から見た斜見図である。
【図３】Ｅ型止め輪の平面図である。
【符号の説明】
【００２７】
１．Ｅ型止め輪挿入工具
２．止め輪ホルダー本体
３．スライドプレート
４．保持プレート
５．ネジ
６．把持部
７．止め輪収納部
８．スリット
９．略半円状段付部
１０．Ｅ型止め輪
【図１】
0003147440.tif 000003
【図２】
0003147440.tif 000004
【図３】
0003147440.tif 000005